(57)【特許請求の範囲】
【請求項１】
支柱の上端に突設されるブラケットを介して手摺笠木を架設してなる手摺において、
上記支柱は、上端に開口部を有すると共に、上記ブラケットの挿通口を残して開口部を塞ぐキャップを具備し、
上記ブラケットは、上記手摺笠木を固定する支持体と、この支持体を固定すべく上記支柱の開口部内に挿入され、その一方が支持体の側面に当接され、他方が支柱の開口部内側面に当接され、かつ、互いに摺接可能な楔状勾配面を有する内部楔体と外部楔体とからなる固定具と、上記キャップを貫通して上記内部楔体及び外部楔体を遊嵌状に貫通する締結ボルトと、この締結ボルトにねじ結合する締結ナットとからなる締結具とを具備し、
上記支柱の開口部内に上記支持体と共に嵌挿される上記固定具の内部楔体及び外部楔体に対して支持体を任意の高さに調節した状態で、上記締結ボルトと締結ナットとをねじ結合することにより、内部楔体及び外部楔体が支持体の側面及び支柱の内側面方向に拡張して支持体を圧接固定するように形成してなる、ことを特徴とする手摺の高さ調節構造。
【請求項２】
請求項１記載の手摺の高さ調節構造において、
上記固定具は、内方側に支持体の側面に当接する押圧面を有し、外方側に支柱の長手方向に対して傾斜する外部勾配面を有する内部楔体と、内方側に上記外部勾配面に摺接可能な内部勾配面を有し、外方側に上記支柱の内側面に当接する圧接面を有する外部楔体とを具備し、かつ、上記内部楔体及び外部楔体に、上記支柱の長手方向に沿う締結ボルトを遊嵌する貫通孔を形成してなる、ことを特徴とする手摺の高さ調節構造。
【請求項３】
請求項１又は２記載の手摺の高さ調節構造において、
上記固定具は、共働して支持体の両側面にそれぞれ当接して挟持する押圧面を有する一対の内部楔体と、各内部楔体に摺接可能な勾配面を有する一対の外部楔体とを具備してなる、ことを特徴とする手摺の高さ調節構造。
【請求項４】
請求項１又は２記載の手摺の高さ調節構造において、
上記キャップに、支持体の一側面に当接する内方圧接面と、支柱の開口部内側面に当接する外方圧接面とを有する脚部を形成し、
上記固定具の内部楔体と上記キャップの脚部とが共働して支持体を挟持固定するように形成してなる、ことを特徴とする手摺の高さ調節構造。
【発明の詳細な説明】
【０００１】
【発明の属する技術分野】
この発明は、手摺の高さ調節構造に関するものであって、更に詳細には、例えば玄関アプローチ等の階段や傾斜路に支柱を介して架設される手摺の高さ調節構造に関するものである。
【０００２】
【従来の技術】
一般に、玄関アプローチ等の階段や傾斜路に支柱を介して架設される手摺の設置においては、取付基準となる路面が階段やスロープのように傾斜角度等の形態が様々であるため、支柱上端と手摺笠木との取付部において角度調節や高さ調節を行う必要がある。
【０００３】
従来の高さ調節可能な手摺として、特公昭５６−４８６６３号公報に記載のものや実用新案登録第３０２３３５５号公報に記載のものが知られている。このうち、特公昭５６−４８６６３号公報に記載の技術は、手摺笠木に装着される手摺保持部材に枢着される連結杆の下端部側にねじ部を設け、この連結杆のねじ部を支柱である支持パイプ内に装入された拡開可能な筒形部材とナットとからなる固定具のナットに螺着し、連結杆を回動することによって連結杆と支柱とを連結固定するものである。一方、実用新案登録第３０２３３５５号公報に記載の技術は、手摺笠木の下部に取り付けられる手摺側継手部材に連結孔を設け、支柱の上端に取り付けられる支柱側継手部材に長孔を設け、これら連結孔と長孔を挿通するボルトにナットをねじ結合することによって、手摺笠木を高さ調節可能に架設固定するものである。
【０００４】
【発明が解決しようとする課題】
しかしながら、前者すなわち特公昭５６−４８６６３号公報に記載の技術は、連結杆を回動させて連結杆と支柱とを連結固定する構造であるため、連結杆に手摺笠木を固定した状態では、高さ調節ができないという問題があった。これに対して、後者すなわち実用新案登録第３０２３３５５号公報に記載の技術は、手摺笠木に手摺側継手部材を固定した状態においても手摺の高さ調節は可能であるが、手摺側継手部材に設けられた連結孔と、支柱側継手部材に設けられた長孔に、ボルトを挿通させてナットをねじ結合させる構造であるため、ボルトとナットが外部に露出して外観の美観を損なうばかりか、使用時に手や衣服が引っ掛かる虞があり、また、施工に手間を要するという問題があった。
【０００５】
この発明は、上記事情に鑑みなされたもので、手摺笠木を固定した状態で手摺の高さ調節を簡単に行えるようにし、かつ、外観の美観の向上を図れるようにした手摺の高さ調節構造を提供することを目的とするものである。
【０００６】
【課題を解決するための手段】
上記目的を達成するために、請求項１記載の発明は、支柱の上端に突設されるブラケットを介して手摺笠木を架設してなる手摺において、  上記支柱は、上端に開口部を有すると共に、上記ブラケットの挿通口を残して開口部を塞ぐキャップを具備し、  上記ブラケットは、上記手摺笠木を固定する支持体と、この支持体を固定すべく上記支柱の開口部内に挿入され、その一方が支持体の側面に当接され、他方が支柱の開口部内側面に当接され、かつ、互いに摺接可能な楔状勾配面を有する内部楔体と外部楔体とからなる固定具と、上記キャップを貫通して上記内部楔体及び外部楔体を遊嵌状に貫通する締結ボルトと、この締結ボルトにねじ結合する締結ナットとからなる締結具とを具備し、  上記支柱の開口部内に上記支持体と共に嵌挿される上記固定具の内部楔体及び外部楔体に対して支持体を任意の高さに調節した状態で、上記締結ボルトと締結ナットとをねじ結合することにより、内部楔体及び外部楔体が支持体の側面及び支柱の内側面方向に拡張して支持体を圧接固定するように形成してなる、ことを特徴とする。
【０００７】
請求項２記載の発明は、請求項１記載の手摺の高さ調節構造において、  上記固定具は、内方側に支持体の側面に当接する押圧面を有し、外方側に支柱の長手方向に対して傾斜する外部勾配面を有する内部楔体と、内方側に上記外部勾配面に摺接可能な内部勾配面を有し、外方側に上記支柱の内側面に当接する圧接面を有する外部楔体とを具備し、かつ、上記内部楔体及び外部楔体に、上記支柱の長手方向に沿う締結ボルトを遊嵌する貫通孔を形成してなる、ことを特徴とする。
【０００８】
請求項３記載の発明は、請求項１又は２記載の手摺の高さ調節構造において、上記固定具は、共働して支持体の両側面にそれぞれ当接して挟持する押圧面を有する一対の内部楔体と、各内部楔体に摺接可能な勾配面を有する一対の外部楔体とを具備してなる、ことを特徴とする。
【０００９】
請求項４記載の発明は、請求項１又は２記載の手摺の高さ調節構造において、上記キャップに、支持体の一側面に当接する内方圧接面と、支柱の開口部内側面に当接する外方圧接面とを有する脚部を形成し、  上記固定具の内部楔体と上記キャップの脚部とが共働して支持体を挟持固定するように形成してなる、ことを特徴とする。
【００１０】
上記のように構成されるこの発明によれば、支柱の開口部内に支持体と共に嵌挿される固定具の内部楔体及び外部楔体に対して支持体を任意の高さに調節した状態で、キャップを貫通する締結ボルトと締結ナットとをねじ結合することにより、内部楔体及び外部楔体が支持体の側面及び支柱の内側面方向に拡張して支持体を圧接固定するので、手摺笠木に支持体が固定された状態においても、手摺の高さを無段階に調節することができる。また、固定具が支柱の開口部内に嵌挿（内蔵）されるので、外部への突出部をなくすことができる。更には、キャップを貫通する締結ボルトと締結ナットとをねじ結合することによって、内部楔体及び外部楔体が支持体の側面及び支柱の内側面方向に拡張して支持体を圧接固定するか、内部楔体とキャップの脚部とが共働して支持体を挟持固定（圧接固定）するので、支柱の開口部を塞ぐ小口キャップを別途固定する必要がない。
【００１１】
【発明の実施の形態】
以下に、この発明の手摺の高さ調節構造について、添付図面に基づいて詳細に説明する。
【００１２】
◎第一実施形態
図１は、この発明の第一実施形態の手摺の高さ調節構造の一部を断面で示す要部断面斜視図、図２は、第一実施形態の手摺の高さ調節構造の断面図、図３は、第一実施形態におけるキャップ、固定具及び締結具を示す分解斜視図である。
【００１３】
この発明に係る手摺１は、支柱２の上端に突設されるブラケット１０を介して手摺笠木３を架設した構造を有する。この場合、手摺笠木３は、下方に開口する長手通しの開口部４を有する例えばアルミニウム製押出形材にて形成される断面略Ｃ字状の笠木受け５と、この笠木受け５の外表面に被覆される例えば耐候性を有する合成樹脂製の笠木本体６とで一体に形成されている。なお、笠木受け５の開口部４の対向する部位には一対の水平リップ部７が設けられている。
【００１４】
上記支柱２は、上端に開口部２１を有すると共に、ブラケット１０の挿通口２２を残して開口部２１を塞ぐキャップ２３を具備している。この場合、支柱２は、例えばアルミニウム製の中空押出形材である中空パイプにて形成されている。また、キャップ２３は、例えばアルミニウム製あるいは硬質合成樹脂製部材にて形成されており、その中心部には後述するブラケット１０を構成する支持体１１を嵌挿可能な矩形状の挿通口２２が設けられ、外周側の同心円上には、後述する締結具４０を構成する締結ボルト４１が挿通可能な２個のボルト挿通孔２４が設けられている。また、ボルト挿通孔２４の上端開口側には、締結ボルト４１の頭部４２を収容する凹部２５が形成されている。
【００１５】
上記ブラケット１０は、手摺笠木３を固定する支持体１１と、この支持体１１を固定すべく支柱２の開口部２１内に挿入され、その一方が支持体１１の側面に当接され、他方が支柱２の開口部内側面に当接され、かつ、互いに摺接可能な楔状勾配面３１ａ，３１ｂを有する内部楔体３２と外部楔体３３とからなる固定具３０と、キャップ２３を貫通して内部楔体３２及び外部楔体３３を遊嵌状に貫通する締結ボルト４１と、この締結ボルト４１にねじ結合する締結ナット４３とからなる締結具４０とで主に構成されている。
【００１６】
この場合、固定具３０は、内方側に支持体の側面に当接する押圧面３４を有し、外方側に支柱２の長手方向に対して傾斜例えば上方に向かって漸次外方側に拡大する外部勾配面３１ａを有する一対の内部楔体３２と、内方側に外部勾配面３１ａに摺接可能な下方に向かって漸次内方側に縮小する内部勾配面３１ｂを有し、外方側に支柱２の内側面に当接する圧接面３５を有する一対の外部楔体３３とを具備する。また、固定具３０を構成する各内部楔体３２及び外部楔体３３には、支柱２の長手方向に沿う締結ボルト４１を遊嵌する貫通孔例えば支柱２の半径方向に延在する長孔３６が形成されている。なお、この場合、内部楔体３２及び外部楔体３３はそれぞれアルミニウム製鋳物やアルミニウム製押出形材を切断して外部勾配面３１ａ及び内部勾配面３１ｂを有する部材にて形成されている。
【００１７】
上記締結ボルト４１は、キャップ２３に設けられたボルト挿通孔２４の上端開口側の凹部２５内に収容可能な円柱状の頭部４２を具備しており、この頭部４２の上端中心部に六角孔４４が設けられている。このように構成される締結ボルト４１は、キャップ２３のボルト挿通孔２４を介して内部楔体３２及び外部楔体３３に設けられた長孔３６（貫通孔）内を遊嵌状に貫通し、その突出部に、回り止め用のスプリングワッシャ４５を介して締結ナット４３がねじ結合される。この際、締結ボルト４１の頭部４２に設けられた六角孔４４内に六角レンチ等の工具を係合させることによって締結ボルト４１と締結ナット４３とがねじ結合されて、内部楔体３２が支持体１１の側面方向に拡張すると共に、外部楔体３３が支柱２の内側面方向に拡張される。
【００１８】
なお、上記支持体１１は、手摺笠木３の笠木受け５の開口部４内すなわち両水平リップ部７間に挿入可能な厚さに形成されており、その上端には、円弧状支持面１２が形成され、また、上端部側面には、笠木受け５の水平リップ部７の上面に当接する係止ピン１３が突設されている。このように形成される支持体１１は、笠木受け５の中空部内に摺動可能に挿入される矩形ブロック状の連結部材８の下面に設けられた円弧状凹部８ａに円弧状支持面１２が垂直方向に角度調節可能に当接されると共に、係止ピン１３が水平リップ部７の上面に位置した状態で手摺笠木３の笠木受け５にセットされる。このようなセットは、予め工場内で行うことができる。そして、施工現場において、連結部材８の長手方向の少なくとも一端部（図面では両端部を示す）に貫通螺合する押しねじ９の先端を笠木受け５の中空溝部の上端壁５ａに押圧することによって係止ピン１３が水平リップ部７の上面に押圧されて、手摺笠木３と支持体１１とが固定される。
【００１９】
次に、手摺の組立手順について説明する。まず、キャップ２３のボルト挿通孔２４に挿通される締結ボルト４１を、外部勾配面３１aと内部勾配面３１ｂとが摺動可能に当接された内部楔体３２と外部楔体３３に設けられた長孔３６内に遊嵌状態に貫通し、その突出部に、回り止め用のスプリングワッシャ４５を介して締結ナット４３を緩くねじ結合させておく。次に、上述したように予め工場等で手摺笠木３の笠木受け５の中空部にセットされたブラケット１０の支持体１１の下端部をキャップ２３の挿通口２２を介して両内部楔体３２間の隙間Ｓ内に挿入する。このとき、両内部楔体３２及び外部楔体３３を支柱２の開口部内に嵌挿すると共に、キャップ２３を支柱２の上端の開口部２１を塞ぐように被着しておくか、あるいは、支持体１１をキャップ２３の挿通口２２及び両内部楔体３２間の隙間Ｓ内に挿通した後に、両内部楔体３２及び外部楔体３３を支柱２の開口部内に嵌挿すると共に、キャップ２３を支柱２の上端の開口部２１を塞ぐように被着する。
【００２０】
次に、固定具３０すなわち内部楔体３２及び外部楔体３３に対して支持体１１を任意の高さに調節する。そして、この状態で、締結ボルト４１の頭部４２に設けられた六角孔４４内に六角レンチ等の工具（図示せず）を係合させて締結ボルト４１と締結ナット４３を締め付けることによって、両内部楔体３２の押圧面３４が支持体１１の両側面方向に拡張すると共に、両外部楔体３３の圧接面３５が支柱２の内側面方向に拡張し、両内部楔体３２の押圧面３４が共働して支持体１１を挟持すなわち圧接固定することができる。この際、締結ナット４３がスプリングワッシャ４５の弾性力によって押さえ付けられているので、締め付け中に回ることなく、締結ボルト４１と締結ナット４３は強固に締結される。
【００２１】
なお、ブラケット１０の支持体１１と手摺笠木３の固定は、手摺の高さ調節の前に行ってもよく、あるいは、手摺の高さ調節の後に行ってもよい。
【００２２】
上記のように構成される第一実施形態の手摺の高さ調節構造によれば、支柱２の開口部２１内に支持体１１と共に嵌挿される固定具３０の内部楔体３２及び外部楔体３３に対して支持体１１を任意の高さに調節した状態で、キャップ２３を貫通する締結ボルト４１と締結ナット４３とを締結（ねじ結合）することにより、両内部楔体３２の押圧面３４間に支持体１１を挟持固定（圧接固定）するので、手摺笠木３に支持体１１が固定された状態においても、手摺の高さを無段階に調節することができる。また、固定具３０が支柱２の開口部２１内に嵌挿（内蔵）されるので、外部への突出部をなくすことができる。更には、キャップ２３を貫通する締結ボルト４１と締結ナット４３とを締結（ねじ結合）することによって、両内部楔体３２の押圧面３４間に支持体１１を挟持固定（圧接固定）するので、支柱２の開口部２１を塞ぐ小口キャップを別途固定する必要がない。
【００２３】
◎第二実施形態
図４は、この発明の手摺の高さ調節構造の第二実施形態の手摺の高さ調節構造を示す断面図、図５は、第二実施形態におけるキャップ２３Ａと固定具３０Ａを示す分解斜視図である。
【００２４】
第二実施形態は、固定具３０Ａを構成する一組の内部楔体３２及び外部楔体３３とキャップ２３Ａとによって手摺の高さ調節を行うようにした場合である。
【００２５】
第二実施形態におけるキャップ２３Ａは、図４に示すように、支持体１１の一側面に当接する内方圧接面５１と、支柱２の開口部内側面に当接する外方圧接面５２とを有する脚部５０を形成してなる。また、キャップ２３Ａの中心部には、第一実施形態と同様の矩形状の挿通口２２が設けられ、その外周の一箇所には、締結ボルト４１の挿通孔２４及び凹部２５が設けられている。なお、キャップ２３Ａの脚部５０に設けられた外方圧接面５２には、脚部５０の長さ方向すなわち支柱２の長手方向に沿って連続する抜け止め用の凹凸部５３が形成されており、この凹凸部５３の摩擦作用によって脚部５０が支柱２の開口部内から抜け出るのを防止するようになっている。
【００２６】
第二実施形態における固定具３０Ａは、第一実施形態における一方の内部楔体３２及び外部楔体３３と同様に形成されるので、ここでは、同一部分に同一符号を付して説明は省略する。なお、第二実施形態において、その他の部分は、第一実施形態と同じであるので、同一部分に同一符号を付して説明は省略する。
【００２７】
次に、第二実施形態における手摺の組立手順について説明する。まず、キャップ２３Ａのボルト挿通孔２４に挿通される締結ボルト４１を、固定具３０Ａの内部楔体３２と外部楔体３３に設けられた長孔３６内に遊嵌状態に貫通し、その突出部に締結ナット４３を緩くねじ結合させておく。次に、上述したように予め工場等で手摺笠木３の笠木受け５の中空部にセットされたブラケット１０の支持体１１の下端部をキャップ２３Ａの挿通口２２を介して脚部５０の内方圧接面５１と内部楔体３２の押圧面３４間の隙間ＳＡ内に挿入する。このとき、内部楔体３２及び外部楔体３３とキャップ２３Ａの脚部５０を支柱２の開口部内に嵌挿すると共に、キャップ２３Aを支柱２の上端の開口部２１を塞ぐように被着しておくか、あるいは、支持体１１をキャップ２３Ａの挿通口２２及び脚部５０の内方圧接面５１と内部楔体３２間の隙間ＳＡ内に挿通した後に、内部楔体３２及び外部楔体３３とキャップ２３Ａの脚部５０を支柱２の開口部内に嵌挿すると共に、キャップ２３Ａを支柱２の上端の開口部２１を塞ぐように被着する。
【００２８】
次に、固定具３０Ａすなわち内部楔体３２及び外部楔体３３とキャップ２３Ａの脚部５０に対して支持体１１を任意の高さに調節する。そして、この状態で、締結ボルト４１の頭部４２に設けられた六角孔４４内に六角レンチ等の工具（図示せず）を係合させて締結ボルト４１と締結ナット４３を締め付けることによって、内部楔体３２の押圧面３４が支持体１１の一方の側面方向に拡張すると共に、外部楔体３３の圧接面３５が支柱２の内側面方向に拡張し、内部楔体３２の押圧面３４とキャップ２３Ａの内方圧接面５１とが共働して支持体１１を挟持すなわち圧接固定することができる。
【００２９】
なお、ブラケット１０の支持体１１と手摺笠木３の固定は、手摺の高さ調節の前に行ってもよく、あるいは、手摺の高さ調節の後に行ってもよい。
【００３０】
上記のように構成される第二実施形態の手摺の高さ調節構造によれば、支柱２の開口部２１内に支持体１１と共に嵌挿される固定具３０Ａの内部楔体３２及び外部楔体３３とキャップ２３Ａの脚部５０に対して支持体１１を任意の高さに調節した状態で、キャップＡを貫通する締結ボルト４１と締結ナット４３とを締結（ねじ結合）することにより、内部楔体３２の押圧面３４とキャップ２３Ａの内方圧接面５１とが共働して支持体１１を挟持固定（圧接固定）するので、手摺笠木３に支持体１１が固定された状態においても、手摺の高さを無段階に調節することができる。また、第一実施形態と同様に、固定具３０Ａが支柱２の開口部２１内に嵌挿（内蔵）されるので、外部への突出部をなくすことができる。更には、キャップ２３Ａを貫通する締結ボルト４１と締結ナット４３とを締結（ねじ結合）することによって、内部楔体３２の押圧面３４とキャップ２３Ａの内方圧接面５１とが共働して支持体１１を挟持固定（圧接固定）するので、支柱２の開口部２１を塞ぐ小口キャップを別途固定する必要がない。また、一組の内部楔体３２と外部楔体３３とキャップ２３Ａの脚部５０によって支持体１１を挟持固定（圧接固定）することができるので、第一実施形態に比べて構成部材の削減が図れると共に、施工工数を低減することができる。
【００３１】
◎その他の実施形態
上記実施形態では、内部楔体３２及び外部楔体３３に設けられる挿通孔が支柱２の半径方向に延在する長孔３６にて形成される場合について説明したが、挿通孔は必ずしも長孔である必要はなく、締結ボルト４１を遊嵌状に挿通するものであれば、円形孔であってもよい。
【００３２】
また、上記実施形態では、内部楔体３２が上方に向かって漸次外方側に拡大する外部勾配面３１ａを有し、外部楔体３３が下方に向かって漸次内方側に縮小する内部勾配面３１ｂを有する場合について説明したが、勾配面３１ａ，３１ｂの傾斜向きを逆にしてもよい。すなわち、内部楔体３２が上方に向かって漸次内方側に縮小する外部勾配面を有し、外部楔体３３が下方に向かって漸次内方側に拡大する内部勾配面を有する構造としてもよい。
【００３３】
また、上記実施形態では、外部楔体３３の圧接面３５が平滑面にて形成される場合について説明したが、外部楔体３３の圧接面３５を粗面状例えばローレットあるいは第二実施形態のキャップ２３Ａの脚部５０の外方圧接面５２と同様な凹凸部等を設けるようにしてもよい。このように、外部楔体３３の圧接面３５を粗面状にすることにより、摩擦作用によって支持体１１の固定を更に強固にすることができる。
【００３４】
【発明の効果】
以上に説明したように、この発明の手摺の高さ調節構造は、上記のように構成されているので、以下のような優れた効果が得られる。
【００３５】
（１）支柱の開口部内に支持体と共に嵌挿される固定具の内部楔体及び外部楔体に対して支持体を任意の高さに調節した状態で、キャップを貫通する締結ボルトと締結ナットとをねじ結合することにより、内部楔体及び外部楔体が支持体の側面及び支柱の内側面方向に拡張して支持体を圧接固定するので、手摺笠木に支持体が固定された状態においても、手摺の高さを無段階に調節することができる。したがって、既存の手摺においても個々に正確な調節をする必要がなく、手摺笠木に合わせた取付を容易に行うことができ、施工性の向上を図ることができる。
【００３６】
（２）固定具が支柱の開口部内に嵌挿（内蔵）されるので、外部への突出部をなくすことができる。したがって、使用時に手や衣服が引っ掛かる虞がない上、外観の美観の向上を図ることができる。
【００３７】
（３）キャップを貫通する締結ボルトと締結ナットとをねじ結合することによって、内部楔体及び外部楔体が支持体の側面及び支柱の内側面方向に拡張して支持体を圧接固定するか、内部楔体とキャップの脚部とが共働して支持体を挟持固定（圧接固定）するので、支柱の開口部を塞ぐ小口キャップを別途固定する必要がない。したがって、構成部材の削減が図れると共に、更に施工性の向上が図れる。
【図面の簡単な説明】
【図１】この発明の手摺の高さ調節構造の第一実施形態の一部を断面で示す要部断面斜視図である。
【図２】第一実施形態の手摺の高さ調節構造を示す断面図である。
【図３】第一実施形態におけるキャップ、固定具及び締結具を示す分解斜視図である。
【図４】この発明の手摺の高さ調節構造の第二実施形態の手摺の高さ調節構造を示す断面図である。
【図５】第二実施形態におけるキャップと固定具を示す分解斜視図である。
【符号の説明】
２  支柱
３  手摺笠木
１０  ブラケット
１１  支持体
２１  開口部
２２  挿通口
２３，２３Ａ  キャップ
２４  ボルト挿通孔
３０，３０Ａ  固定具
３１ａ  外部勾配面
３１ｂ  内部勾配面
３２  内部楔体
３３  外部楔体
３４  押圧面
３５  圧接面
３６  長孔（貫通孔）
４０  締結具
４１  締結ボルト
４３  締結ナット
４５  スプリングワッシャ
５０  脚部
５１  内方圧接面
５２  外方圧接面
【図１】
0003979629.tif 000002
【図２】
0003979629.tif 000003
【図３】
0003979629.tif 000004
【図４】
0003979629.tif 000005
【図５】
0003979629.tif 000006